(57)【要約】【課題】表示品質が低下することを抑えることが可能な電気光学装置、及び電子機器を提供する。【解決手段】液晶パネル１００と、液晶パネル１００を収容するフレーム（６１０，６２０）と、液晶パネル１００と第１フレーム６１０との間に配置された回転部材６３０と、を備える。【選択図】図６
2015200688.tif 000002
【特許請求の範囲】
【請求項１】
電気光学パネルと、
前記電気光学パネルを収容するフレームと、
前記電気光学パネルと前記フレームとの間に配置された回転部材と、
を備えることを特徴とする電気光学装置。
【請求項２】
請求項１に記載の電気光学装置であって、
前記回転部材は、前記電気光学パネル又は前記フレームに設けられた凹部に対応して配置されていることを特徴とする電気光学装置。
【請求項３】
請求項１又は請求項２に記載の電気光学装置であって、
前記回転部材は、前記電気光学パネルの線膨張係数と、前記フレームの線膨張係数との間に線膨張係数を有する材料を用いることを特徴する電気光学装置。
【請求項４】
請求項１乃至請求項３のいずれか一項に記載の電気光学装置であって、
前記回転部材は、ステンレス又はセラミックで構成されていることを特徴とする電気光学装置。
【請求項５】
請求項１乃至請求項４のいずれか一項に記載の電気光学装置であって、
前記電気光学パネルは、反射型であることを特徴とする電気光学装置。
【請求項６】
請求項１乃至請求項５のいずれか一項に記載の電気光学装置を備えていることを特徴とする電子機器。
【発明の詳細な説明】
【技術分野】
【０００１】
本発明は、電気光学装置、及び電子機器に関する。
【背景技術】
【０００２】
上記電気光学装置としての液晶装置は、例えば、液晶パネル等の電気光学パネルがフレームに収容されており、例えば、液晶プロジェクター等のライトバルブとして用いられる。例えば、特許文献１では、液晶パネルなど光変調素子と、光変調素子を収容するフレームと、を備える光変調素子ユニットが開示されている。
【０００３】
光変調素子は、例えば、石英などからなる一対の透明基板の間に液晶が封入されて構成されている。光変調素子は、シーリング材などによって、アルミ材料で構成されるフレームに固定されている。
【先行技術文献】
【特許文献】
【０００４】
【特許文献１】特開２００４−２２６７００号公報
【発明の概要】
【発明が解決しようとする課題】
【０００５】
しかしながら、液晶プロジェクターなど光源の熱がフレームに伝わり、フレームに生じた応力（熱膨張による変形など）が液晶パネルに伝わることがある。具体的には、フレームに生じた応力が、一対の基板を構成する素子基板及び対向基板に伝わり、これら異なる材料同士が接触した部分で複合的な応力（複雑な歪み）となって液晶パネルに伝わる。その結果、液晶パネルの表示画像に色むらなどが発生し、表示品質が低下するという課題がある。
【課題を解決するための手段】
【０００６】
本発明の態様は、上記課題の少なくとも一部を解決するためになされたものであり、以下の形態又は適用例として実現することが可能である。
【０００７】
［適用例１］本適用例に係る電気光学装置は、電気光学パネルと、前記電気光学パネルを収容するフレームと、前記電気光学パネルと前記フレームとの間に配置された回転部材と、を備えることを特徴とする。
【０００８】
本適用例によれば、電気光学パネルとフレームとの間に回転部材が配置されているので、フレームから電気光学パネルに伝わる応力（歪み）を回転部材の回転によって緩和させる（吸収させる）ことが可能となり、応力が電気光学パネルに伝わることを抑えることができる。具体的には、例えば、プロジェクターなど光源の熱がフレームに伝わり、フレームに生じた応力（熱膨張による変形など）が電気光学パネルに伝わることを抑えることができる。その結果、電気光学パネルの表示画像に色むらなどが発生し、表示品質が低下することを抑えることができる。
【０００９】
［適用例２］上記適用例に係る電気光学装置において、前記回転部材は、前記電気光学パネル又は前記フレームに設けられた凹部に対応して配置されていることが好ましい。
【００１０】
本適用例によれば、凹部に回転部材が配置されているので、フレームに生じた応力によって回転部材が回転した場合でも、回転部材を凹部の領域に留めさせることができる。よって、電気光学装置から回転部材が離脱することを防ぐことができる。
【００１１】
［適用例３］上記適用例に係る電気光学装置において、前記回転部材は、前記電気光学パネルの線膨張係数と、前記フレームの線膨張係数との間に線膨張係数を有する材料を用いることが好ましい。
【００１２】
本適用例によれば、回転部材となる材料の線膨張係数が、電気光学パネルとフレームとの中間の線膨張係数を有する材料を用いるので、熱によってフレームから電気光学パネルに伝わる複合的な応力を緩和させることができる。また、フレームを介して回転部材に熱が伝わった場合でも、フレームが熱膨張する量より少なくすることができる。よって、フレームに生じた応力を回転部材で吸収することができる。
【００１３】
［適用例４］上記適用例に係る電気光学装置において、前記回転部材は、ステンレス又はセラミックで構成されていることが好ましい。
【００１４】
本適用例によれば、回転部材がステンレス又はセラミックで構成されているので、フレームを介して回転部材に熱が伝わった場合でも、回転部材が熱膨張して電気光学パネルに応力を加えることを抑えることができる。よって、フレームに生じた応力を回転部材で吸収することができる。
【００１５】
［適用例５］上記適用例に係る電気光学装置において、前記電気光学パネルは、反射型であることが好ましい。
【００１６】
本適用例によれば、フレームからの応力を吸収する（緩和させる）ことが可能となるので、特に光の入射及び反射の両方が行われる反射型の電気光学装置の表示品質を効率よく向上させることができる。
【００１７】
［適用例６］本適用例に係る電子機器は、上記電気光学装置を備えていることを特徴とする。
【００１８】
本適用例によれば、上記電気光学装置を備えているので、表示画像に色むらが発生することを抑え、表示品質を向上させることが可能な電子機器を提供することができる。
【図面の簡単な説明】
【００１９】
【図１】液晶装置が備える液晶パネルの構成を示す模式平面図。
【図２】図１に示す液晶パネルのＨ−Ｈ’線に沿う模式断面図。
【図３】液晶パネルの電気的な構成を示す等価回路図。
【図４】液晶装置の全体構成を示す分解斜視図。
【図５】液晶装置の構成を対向基板（防塵用ガラス）側から見た模式平面図。
【図６】図５に示す液晶装置のＩ−Ｉ’線に沿う模式断面図。
【図７】液晶装置を備えたプロジェクターの構成を示す概略図。
【図８】液晶装置の変形例の構造を示す模式断面図。
【発明を実施するための形態】
【００２０】
以下、本発明を具体化した実施形態について図面に従って説明する。なお、使用する図面は、説明する部分が認識可能な状態となるように、適宜拡大または縮小して表示している。
【００２１】
なお、以下の形態において、例えば「基板上に」と記載された場合、基板の上に接するように配置される場合、または基板の上に他の構成物を介して配置される場合、または基板の上に一部が接するように配置され、一部が他の構成物を介して配置される場合を表すものとする。
【００２２】
本実施形態では、電気光学装置が備える電気光学パネルとして、薄膜トランジスター（ＴＦＴ：Thin Film Transistor）を画素のスイッチング素子として備えたアクティブマトリックス型の液晶パネルを例に挙げて説明する。この液晶パネルを備えた液晶装置は、例えば、投射型表示装置（液晶プロジェクター）の光変調素子（液晶ライトバルブ）として好適に用いることができるものである。
【００２３】
＜電気光学装置としての液晶装置が備える液晶パネルの構成＞
図１は、液晶装置が備える液晶パネルの構成を示す模式平面図である。図２は、図１に示す液晶パネルのＨ−Ｈ’線に沿う模式断面図である。図３は、液晶パネルの電気的な構成を示す等価回路図である。以下、液晶パネルの構成を、図１〜図３を参照しながら説明する。
【００２４】
電気光学パネルとしての液晶パネル１００は、素子基板１０（第１基板）と対向基板２０（第２基板）とが対向配置されて構成されている。素子基板１０の基板本体は、例えば、単結晶シリコン基板又はガラス基板若しくは石英基板等の透明基板で構成されている。対向基板２０の基板本体は、例えば、ガラス基板、石英基板等の透明基板で構成されている。素子基板１０と対向基板２０との間には、電気光学物質としての液晶層５０が封入されている。液晶層５０は、例えば、一種又は数種類のネマティック液晶を混合した液晶からなり、一対の配向膜間で所定の配向状態をとる。
【００２５】
素子基板１０と対向基板２０とは、複数の画素電極が設けられた画像表示領域１０ａの周囲に位置するシール領域に設けられたシール材５２により、相互に接着されている。
【００２６】
シール材５２は、両基板を貼り合わせるための、例えば、紫外線硬化樹脂、熱硬化樹脂等からなり、製造プロセスにおいて素子基板１０に塗布された後、紫外線照射、加熱等により硬化させられたものである。シール材５２の中には、素子基板１０と対向基板２０との間隔（即ち、基板間ギャップ）を所定値とするためのグラスファイバー或いはガラスビーズ等のギャップ材が散布されている。なお、ギャップ材を、シール材５２に混入されるものに加えて若しくは代えて、画像表示領域１０ａ又は画像表示領域１０ａの周辺に位置する周辺領域に、配置するようにしてもよい。
【００２７】
シール材５２が配置されたシール領域の内側に並行して、画像表示領域１０ａの額縁領域を部分的に規定する遮光性の額縁遮光膜５３が、対向基板２０側に設けられている。
【００２８】
周辺領域のうち、シール材５２が配置されたシール領域の外側に位置する領域には、素子基板１０の一辺に沿って、データ線駆動回路１０１及び外部回路接続端子１０２が設けられている。走査線駆動回路１０４は、この一辺に隣接する２辺に沿い、且つ、額縁遮光膜５３に覆われるように設けられている。更に、このように画像表示領域１０ａの両側に設けられた二つの走査線駆動回路１０４間を接続するために、素子基板１０の残る一辺に沿い、且つ、額縁遮光膜５３に覆われるようにして複数の配線１０５が設けられている。
【００２９】
素子基板１０における対向基板２０の４つのコーナー部に対向する領域には、両基板間を上下導通材で接続するための上下導通端子１０６が配置されている。これらにより、素子基板１０と対向基板２０との間で電気的な導通をとることができる。
【００３０】
図２に示すように、素子基板１０には、駆動素子である画素スイッチング用のＴＦＴや走査線、データ線等の配線が作り込まれた積層構造が形成されている。この積層構造の詳細な構成については図２では図示を省略してあるが、この積層構造の上に、反射電極となる反射型の画素電極９ａが設けられている。画素電極９ａは典型的にはアルミニウムなどの光反射性の高い材料により、画素毎に所定のパターンで島状に形成され、入射光を反射する。
【００３１】
画素電極９ａは、対向電極２１に対向するように、素子基板１０の画像表示領域１０ａに形成されている。素子基板１０における液晶層５０の面する側の表面、即ち画素電極９ａ上には、配向膜１６が画素電極９ａを覆うように形成されている。
【００３２】
対向基板２０における素子基板１０との対向面には、ＩＴＯ等の透明材料からなる対向電極２１が複数の画素電極９ａと対向するように形成されている。また、画像表示領域１０ａにおいてカラー表示を行うために、開口領域及び非開口領域の一部を含む領域に、図２には図示しないカラーフィルターが形成されてもよい。
【００３３】
対向基板２０の素子基板１０に対する対向面上において、対向電極２１上には、配向膜２２が形成されている。なお、透過型の液晶装置と同様に、対向基板２０に格子状又はストライプ状に遮光膜を形成し、非開口領域を設けてもよい。
【００３４】
なお、図１及び図２に示した素子基板１０には、上述したデータ線駆動回路１０１、走査線駆動回路１０４等の駆動回路に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該液晶パネル１００の品質、欠陥等を検査するための検査回路等を形成してもよい。
【００３５】
次に、液晶パネルの画素部の電気的な構成について、図３を参照して説明する。図３は、電気光学装置が備える液晶パネルの画像表示領域を構成するマトリックス状に形成された複数の画素における各種素子、配線等の等価回路図である。
【００３６】
図３において、画像表示領域１０ａを構成するマトリックス状に形成された複数の画素の各々には、画素電極９ａ及びＴＦＴ３０が形成されている。ＴＦＴ３０は、画素電極９ａに電気的に接続されており、液晶パネル１００の動作時に画素電極９ａをスイッチング制御する。
【００３７】
画像信号が供給されるデータ線６ａは、ＴＦＴ３０のソースに電気的に接続されている。データ線６ａに書き込む画像信号Ｓ１、Ｓ２、・・・、Ｓｎは、この順に線順次に供給しても構わないし、相隣接する複数のデータ線６ａ同士に対して、グループ毎に供給するようにしてもよい。
【００３８】
ＴＦＴ３０のゲートには、走査線３ａが電気的に接続されており、液晶パネル１００は、所定のタイミングで、走査線３ａにパルス的に走査信号Ｇ１、Ｇ２、・・・、Ｇｍを、この順に線順次で印加するように構成されている。
【００３９】
画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、・・・、Ｓｎが所定のタイミングで書き込まれる。画素電極９ａを介して液晶に書き込まれた所定レベルの画像信号Ｓ１、Ｓ２、・・・、Ｓｎは、対向基板２０に形成された対向電極２１との間で一定期間保持される。
【００４０】
液晶層５０（図２参照）を構成する液晶は、印加される電圧レベルにより分子集合の配向や秩序が変化することにより、光を変調し、階調表示を可能とする。例えば、ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶パネル１００からは画像信号に応じたコントラストをもつ光が出射される。
【００４１】
ここで保持された画像信号がリークすることを防ぐために、画素電極９ａと対向電極２１（図２参照）との間に形成される液晶容量と並列に蓄積容量７０が付加されている。蓄積容量７０は、画像信号の供給に応じて各画素電極９ａの電位を一時的に保持する保持容量として機能する容量素子である。
【００４２】
蓄積容量７０の一方の電極は、画素電極９ａと並列してＴＦＴ３０のドレインに電気的に接続され、他方の電極は、定電位となるように、電位固定の容量線３００に電気的に接続されている。蓄積容量７０によれば、画素電極９ａにおける電位保持特性が向上し、コントラスト向上やフリッカーの低減といった表示特性の向上が可能となる。
【００４３】
＜電気光学装置としての液晶装置の構成＞
次に、電気光学装置としての液晶装置の全体構成について、図４〜図６を参照して説明する。図４は、液晶装置の全体構成を示す分解斜視図である。図５は、液晶装置の構成を対向基板（防塵用ガラス）側から見た模式平面図である。図６は、図５に示す液晶装置のＩ−Ｉ’線に沿う模式断面図である。なお、図４〜図６では、図１〜図３に示した液晶パネルにおける詳細な部材を適宜省略して図示している。
【００４４】
図４に示すように、液晶装置１は、液晶パネル１００と、フレーム６００を構成する第１フレーム６１０及び第２フレーム６２０とを備えている。
【００４５】
フレーム６００内に収容される液晶パネル１００は、図１及び図２に示した液晶パネル１００に加えて、その表面に重ねられた、偏光板、位相差板、反射防止板等の他の光学補償板を備えており、更に素子基板１０の外部回路接続端子１０２（図１及び図２参照）にフレキシブル基板５００が接続されている。
【００４６】
図４に示すように、対向基板２０の液晶層５０に対向しない側には、例えば、ガラス等の透明基板を用いて構成される防塵用基板４００が設けられている。防塵用基板４００は、例えば、対向基板２０に透明接着剤を介して貼り付けられている。この防塵用基板４００のデフォーカス作用により、対向基板２０の外側表面、即ち、防塵用基板４００と貼り合わせられる接着面に付着した埃や塵は、スクリーン上の表示画面にピンボケの状態で表示されることとなる。よって、スクリーン上の表示画面に、前述したような埃や塵が明確に映りこむのを防止することができる。
【００４７】
駆動用ＩＣはフレキシブル基板５００に形成される。フレキシブル基板５００は、駆動用ＩＣに接続された複数の配線と、外部回路接続端子１０２（図１及び図２参照）の一部又は全てとを、異方性導電フィルムを介して接続することにより、液晶パネル１００に実装される。なお、図４〜図６には、フレキシブル基板５００における駆動用ＩＣや配線等の詳細な構成は、図示を省略する。
【００４８】
本実施形態では、第２フレーム６２０の側から光が入射し、液晶パネル１００にて反射され、再び第２フレーム６２０の側から出射するということを前提とする。
【００４９】
以下では、フレーム６００を構成する第１フレーム６１０及び第２フレーム６２０の構成について、より詳細な説明を行う。
【００５０】
まず、第１フレーム６１０の構成について説明する。第１フレーム６１０は、平面視して略四辺形状を有する板状の部材であって、液晶パネル１００の一面に対向するように配置される。本実施形態では、図６に示すように、第１フレーム６１０と液晶パネル１００とは、回転部材６３０を介して配置されている。回転部材６３０の詳細については後述する。
【００５１】
また、第１フレーム６１０のプレート６１０ａには、液晶パネル１００を挟んで第２フレーム６２０を固定するための突起６１３が設けられている。
【００５２】
次に、第２フレーム６２０の構成について説明する。図４に示すように、第２フレーム６２０を構成するフレーム部材６２２は、防塵用基板４００の面に対向するように配置される。
【００５３】
第２フレーム６２０は、折り曲げ部６１４を有する。折り曲げ部６１４は、図４に示すように、略四辺形状を有するフレーム部材６２２の対向する二辺のそれぞれの一部が、液晶パネル１００側に向かって折り曲げられている。
【００５４】
また、第２フレーム６２０は、フレーム部材６２２の液晶パネル１００と対向する面に、画像表示領域１０ａを囲うように開口孔６２５が形成されている。開口孔６２５は、上方から入射し、上方に反射する光の通過を可能とする部分である。
【００５５】
第１フレーム６１０と第２フレーム６２０とを組み立てた状態で、折り曲げ部６１４の開口孔は、第１フレーム６１０の外側面に設けられた突起６１３に嵌まり込む。そして、第１フレーム６１０に載置された液晶パネル１００は、第２フレーム６２０によって閉じられた状態となる。
【００５６】
後述する、液晶プロジェクター内のランプユニット（図７参照）から発せられた光は、この開口孔６２５を通過して液晶パネル１００に入射可能となる。なお、開口孔６２５の辺縁は、液晶パネル１００の周辺領域に当接している。これにより、液晶パネル１００からフレーム部材６２２への熱の伝達が滞りなく行われるようになる。
【００５７】
更に、第２フレーム６２０は、遮光板の一例であり、液晶パネル１００の遮光機能（見切り）として機能する。これにより、液晶パネル１００の周辺領域における光抜けを防止すると共に、該周辺領域から迷光が画像表示領域１０ａ内に進入するのを防ぐことが可能となる。
【００５８】
第１フレーム６１０及び第２フレーム６２０は、熱伝導性に優れた、例えば、金属等の材料を用いて構成されるのが好ましい。より具体的には、アルミニウム、マグネシウム、銅又はこれら各々の合金等を用いるようにするとよい。なお、第２フレーム６２０は、遮光機能を確保するために、遮光性の材料であって且つ熱伝導性に優れた材料を用いて構成するのが好ましい。
【００５９】
図５及び図６に示すように、第１フレーム６１０と液晶パネル１００との間には、回転部材６３０が配置されている。また、液晶パネル１００の第１フレーム６１０側には、第１フレーム６１０の応力が液晶パネル１００に伝わることを抑えるための緩衝部材６４０が、液晶パネル１００の外周に沿って設けられている。
【００６０】
図５に示すように、回転部材６３０は、緩衝部材６４０で囲まれた中に、例えば、液晶パネル１００の四隅に配置されている。なお、回転部材６３０は、液晶パネル１００を支持するために、少なくとも３か所に配置されていることが好ましい。また、四隅だけでなく、それ以上の個数の回転部材６３０を配置するようにしてもよい。
【００６１】
回転部材６３０は、球形状に形成されている。なお、球形状に限定されず、接点がＲであればよく、楕円形状や半球状でもよい。回転部材６３０の形状が球形状に形成されていることにより、第１フレーム６１０と液晶パネル１００とが面で接しないため、第１フレーム６１０と液晶パネル１００との両方からの応力を、回転部材６３０の回転によって吸収（緩和、緩衝）することができる。
【００６２】
また、図６に示すように、液晶パネル１００の周辺部は、フレーム６００（６２０）の内側壁に隙間を開けて面する状態となっている。よって、第１フレーム６１０に対して、液晶パネル１００が水平方向に動くことができる。
【００６３】
回転部材６３０の材質は、熱によって膨張しにくいものが好ましく、例えば、素子基板１０の線膨張係数と、第１フレーム６１０の線膨張係数との中間の線膨張係数を有する材質であることが好ましい。回転部材６３０としては、例えば、ステンレス（ＳＵＳ）、セラミックなどが挙げられる。
【００６４】
緩衝部材６４０は、弾性を有する材料であることが好ましく、例えば、樹脂材料やゴムなどでもよい。緩衝部材６４０は、例えば、液晶パネル１００を構成する素子基板１０に固定されている。
【００６５】
上述したような液晶装置１に比較的強力な投射光が入射されると、フレーム６００の温度が上昇し、フレーム６００が膨張する。加えて、液晶装置１に投射光が入射されると、液晶パネル１００の温度が上昇する。
【００６６】
例えば、石英基板で構成された液晶パネル１００の素子基板１０及び対向基板２０と、アルミニウムで構成されたフレーム６００と、の線膨張係数が異なるので、第１フレーム６１０及び第２フレーム６２０は、素子基板１０及び対向基板２０よりも大きな膨張率で膨張する。
【００６７】
このとき、フレーム６００及び液晶パネル１００が互いに異なる膨張率で各々膨張しても、フレーム６００と液晶パネル１００との間に回転部材６３０が配置されているので、回転部材６３０が回転することにより、フレーム６００に対して液晶パネル１００が相互に近付いたり離間したりする。よって、膨張や伸縮に基づくフレーム６００と液晶パネル１００との間の応力を緩和できる。即ち、膨張や伸縮で液晶パネル１００に応力が発生して、例えば画像表示領域１０ａが歪むのを効率的に防止できる。
【００６８】
なお、上記反射型の液晶パネル１００の場合、光の入射と反射とを繰り返すので、応力を緩和させることにより、色むらが発生するなど表示品質が低下することを、より顕著に改善することができる。
【００６９】
以上説明したように、本実施形態に係る液晶装置１では、液晶パネル１００に伝達される応力を軽減し、表示画像における色むらの発生を防止することができる。
【００７０】
＜電子機器の構成＞
図７は、上記した液晶装置を備えた電子機器（反射型の液晶プロジェクター）の構成を示す模式図である。以下、電子機器の構成について、図７を参照しながら説明する。
【００７１】
図７に示すように、本実施形態の液晶プロジェクター１５００は、システム光軸Ｌに沿って配置された偏光照明装置１１００と、３つのダイクロイックミラー１１１１，１１１２，１１１５と、２つの反射ミラー１１１３，１１１４と、３つの光変調素子としての反射型の液晶ライトバルブ１２５０，１２６０，１２７０と、クロスダイクロイックプリズム１２０６と、投射レンズ１２０７とを備えている。
【００７２】
偏光照明装置１１００は、ハロゲンランプなどの白色光源からなる光源としてのランプユニット１１０１と、インテグレーターレンズ１１０２と、偏光変換素子１１０３とから概略構成されている。
【００７３】
偏光照明装置１１００から射出された偏光光束は、互いに直交して配置されたダイクロイックミラー１１１１とダイクロイックミラー１１１２とに入射する。光分離素子としてのダイクロイックミラー１１１１は、入射した偏光光束のうち赤色光（Ｒ）を反射する。もう一方の光分離素子としてのダイクロイックミラー１１１２は、入射した偏光光束のうち緑色光（Ｇ）と青色光（Ｂ）とを反射する。
【００７４】
反射した赤色光（Ｒ）は反射ミラー１１１３により再び反射され、液晶ライトバルブ１２５０に入射する。一方、反射した緑色光（Ｇ）と青色光（Ｂ）とは反射ミラー１１１４により再び反射して光分離素子としてのダイクロイックミラー１１１５に入射する。ダイクロイックミラー１１１５は緑色光（Ｇ）を反射し、青色光（Ｂ）を透過する。反射した緑色光（Ｇ）は液晶ライトバルブ１２６０に入射する。透過した青色光（Ｂ）は液晶ライトバルブ１２７０に入射する。
【００７５】
液晶ライトバルブ１２５０は、反射型の液晶パネル１２５１と、反射型偏光素子としてのワイヤーグリッド偏光板１２５３とを備えている。
【００７６】
液晶ライトバルブ１２５０は、ワイヤーグリッド偏光板１２５３によって反射した赤色光（Ｒ）がクロスダイクロイックプリズム１２０６の入射面に垂直に入射するように配置されている。また、ワイヤーグリッド偏光板１２５３の偏光度を補う補助偏光板１２５４が液晶ライトバルブ１２５０における赤色光（Ｒ）の入射側に配置され、もう１つの補助偏光板１２５５が赤色光（Ｒ）の射出側においてクロスダイクロイックプリズム１２０６の入射面に沿って配置されている。なお、反射型偏光素子として偏光ビームスプリッターを用いた場合には、一対の補助偏光板１２５４，１２５５を省略することも可能である。
【００７７】
このような反射型の液晶ライトバルブ１２５０の構成と各構成の配置は、他の反射型の液晶ライトバルブ１２６０，１２７０においても同じである。
【００７８】
液晶パネル１２５１，１２６１，１２７１に入射した各色光は、画像情報に基づいて変調され、再びワイヤーグリッド偏光板１２５３，１２６３，１２７３を経由してクロスダイクロイックプリズム１２０６に入射する。クロスダイクロイックプリズム１２０６では、各色光が合成され、合成された光は投射レンズ１２０７によってスクリーン１３００上に投射され、画像が拡大されて表示される。
【００７９】
本実施形態では、液晶ライトバルブ１２５０，１２６０，１２７０における反射型の液晶パネル１２５１，１２６１，１２７１として上記実施形態における液晶装置１が適用されている。
【００８０】
このような液晶プロジェクター１５００によれば、反射型の液晶装置１を液晶ライトバルブ１２５０，１２６０，１２７０に用いているので、表示品質を向上させることが可能な反射型の液晶プロジェクター１５００を提供できる。
【００８１】
なお、液晶装置１が搭載される電子機器としては、液晶プロジェクター１５００の他、ヘッドアップディスプレイ（ＨＵＤ）、ヘッドマウントディスプレイ（ＨＭＤ）、スマートフォン、ＥＶＦ（Electrical View Finder）、モバイルミニプロジェクター、電子ブック、携帯電話、モバイルコンピューター、デジタルカメラ、デジタルビデオカメラ、ディスプレイ、液晶テレビ、車載機器、オーディオ機器、露光装置や照明機器など各種電子機器に用いることができる。
【００８２】
以上詳述したように、本実施形態の液晶装置１、及び電子機器によれば、以下に示す効果が得られる。
【００８３】
（１）本実施形態の液晶装置１によれば、液晶パネル１００とフレーム６００との間に回転部材６３０が配置されているので、フレーム６００から液晶パネル１００に伝わる応力（歪み）を回転部材６３０の回転によって緩和させる（吸収させる）ことが可能となり、応力が液晶パネル１００に伝わることを抑えることができる。具体的には、例えば、液晶プロジェクター１５００など光源の熱がフレーム６００に伝わり、フレーム６００に生じた応力（熱膨張による変形など）が液晶パネル１００に伝わることを抑えることができる。その結果、液晶パネル１００の表示画像に色むらなどが発生し、表示品質が低下することを抑えることができる。
【００８４】
（２）本実施形態の液晶装置１によれば、回転部材６３０となる材料の線膨張係数が、液晶パネル１００とフレーム６００との中間の線膨張係数を有する材料を用いるので、熱によってフレーム６００から液晶パネル１００に伝わる複合的な応力を緩和させることができる。また、フレーム６００を介して回転部材６３０に熱が伝わった場合でも、フレーム６００が熱膨張する量より少なくすることができる。よって、フレーム６００に生じた応力を回転部材６３０で吸収することができる。
【００８５】
（３）本実施形態の液晶装置１によれば、フレーム６００からの応力を吸収する（緩和させる）ことが可能となるので、特に光の入射及び反射が行われる反射型の液晶装置１の表示品質を効率よく向上させることができる。
【００８６】
（４）本実施形態の電子機器によれば、上記液晶装置１を備えているので、液晶パネル１００の表示画像に色むらが発生することを抑え、表示品質を向上させることが可能な電子機器を提供することができる。
【００８７】
なお、本発明の態様は、上記した実施形態に限られるものではなく、請求の範囲及び明細書全体から読み取れる発明の要旨あるいは思想に反しない範囲で適宜変更可能であり、本発明の態様の技術範囲に含まれるものである。また、以下のような形態で実施することもできる。
【００８８】
（変形例１）
上記したように、素子基板１０の液晶層５０とは反対側の面（平面）と、第１フレーム６１０の面（平面）との間に、回転部材６３０を配置することに限定されず、図８に示すように配置してもよい。図８は、液晶装置の変形例の構造を示す模式断面図である。
【００８９】
図８に示すように、変形例の液晶装置１１は、第１フレーム６１０の表面に回転部材６３０を受ける凹部６１０ｂが形成されている部分が、上記実施形態と異なっている。凹部６１０ｂは、回転部材６３０と同じ円弧で形成されていてもよいし、回転部材６３０の円弧より大きい円弧で形成されていてもよい。凹部６１０ｂの形成方法は、例えば、エッチング法を用いて形成する。
【００９０】
これによれば、回転部材６３０が凹部６１０ｂに案内されて配置されているので、第１フレーム６１０に応力が発生して液晶パネル１００が移動した場合でも、回転部材６３０を同じ位置に留めておくことができる。よって、例えば、上記実施形態のような緩衝部材６４０で囲まれていなくても、回転部材６３０が外部に出てしまうことを防止できる。なお、緩衝部材６４０と組み合わせて用いるようにしてもよい。
【００９１】
また、第１フレーム６１０に凹部６１０ｂを形成することに限定されず、例えば、液晶パネル１００（素子基板１０）に凹部を形成するようにしてもよい。
【００９２】
（変形例２）
上記したように、回転部材６３０は、基板間に球体を挟持させる形態に限定されず、例えば、素子基板１０と第１フレーム６１０との間に、ベアリング構造を有する部材を配置するようにしてもよい。
【００９３】
（変形例３）
上記したように、第１フレーム６１０は、プレート状であることに限定されず、例えば、液晶パネル１００を囲んで収容できる箱型の構造でもよい。
【００９４】
（変形例４）
上記したように、フレーム６００（第１フレーム６１０）と液晶パネル１００との間に回転部材６３０を配置することに限定されず、応力や歪みが発生しやすい、異なる材質が接触する部分（例えば、防塵用基板４００と対向基板２０との間、液晶パネル１００とヒートシンクとの間など）に回転部材６３０を配置するようにしてもよい。また、石英基板とネオセラムのように、熱によって広がる部材と縮む部材との間に回転部材６３０を配置して、応力を打ち消すようにしてもよい。
【００９５】
（変形例５）
上記したように、電気光学装置として反射型の液晶装置１を適用することに限定されず、例えば、透過型の液晶装置、有機ＥＬ装置、プラズマディスプレイ、電子ペーパー（ＥＰＤ）等に適用するようにしてもよい。
【符号の説明】
【００９６】
１，１１…電気光学装置としての液晶装置、３ａ…走査線、６ａ…データ線、９ａ…画素電極、１０…素子基板、１０ａ…画像表示領域、１６，２２…配向膜、２０…対向基板、２１…対向電極、３０…ＴＦＴ、５０…液晶層、５２…シール材、５３…額縁遮光膜、７０…蓄積容量、１００…電気光学パネルとしての液晶パネル、１０１…データ線駆動回路、１０２…外部回路接続端子、１０４…走査線駆動回路、１０５…配線、１０６…上下導通端子、３００…容量線、４００…防塵用基板、５００…フレキシブル基板、６００…フレーム、６１０…第１フレーム、６１０ａ…プレート、６１０ｂ…凹部、６１３…突起、６１４…折り曲げ部、６２０…第２フレーム、６２２…フレーム部材、６２５…開口孔、６３０…回転部材、６４０…緩衝部材、１１００…偏光照明装置、１１０１…ランプユニット、１１０２…インテグレーターレンズ、１１０３…偏光変換素子、１１１１，１１１２，１１１５…ダイクロイックミラー、１１１３，１１１４…反射ミラー、１２０６…クロスダイクロイックプリズム、１２０７…投射レンズ、１２５０，１２６０，１２７０…液晶ライトバルブ、１２５１，１２６１，１２７１…反射型の液晶パネル、１２５３，１２６３，１２７３…ワイヤーグリッド偏光板、１２５４，１２５５…補助偏光板、１３００…スクリーン、１５００…液晶プロジェクター。
【図１】
2015200688.tif 000003
【図２】
2015200688.tif 000004
【図３】
2015200688.tif 000005
【図４】
2015200688.tif 000006
【図５】
2015200688.tif 000007
【図６】
2015200688.tif 000008
【図７】
2015200688.tif 000009
【図８】
2015200688.tif 000010